(57)【要約】【課題】美的外観を有し、確実性の高い連結と外し易さとを両立させると共に、連結時の衝撃による磁石の割れ、カケを防止した装飾用連結具の提供を目的とした。【解決手段】一端に中空体と他端に蓋体からなる構成にて、前記中空体は、チェーン等を連結する連結環と、前記蓋体を挿入させる２箇所の挿入口を有する開口部を設け、該開口部を中心とした中空内部下位置に枠を設けて磁石を配置して構成、前記蓋体は、板の裏面に、該板の大きさより小さい突出した枠部を設け、該枠部側壁に対して垂直方向に突起した前記挿入口に挿入可能な突起部を２箇所設けて枠部に磁石を配置したフランジを有する凸形状とし、該フランジに隣接する適宜位置に取っ手部を設け、該取っ手部にチェーンを連結する孔を設けて構成し、前記中空体と前記蓋体とが開口部で相対した嵌合にて連結することを特徴とした。【選択図】図１
2005348796.tif 000002
【特許請求の範囲】
【請求項１】
ネックレス及び、ブレスレット等を環状にして着用する装身具の一端に中空体を用い、他端に蓋体を用いて、該両端に磁石を配置して磁力にて連結する装飾用連結具であって、前記中空体は、チェーン等を連結する連結環と、前記蓋体を挿入させる２箇所の挿入口を有する開口部を設け、該開口部を中心とした中空内部下位置に枠を設けて磁石を配置して構成、前記蓋体は、板の裏面に、該板の大きさより小さい突出した枠部を設け、該枠部側壁に対して垂直方向に突起した前記挿入口に挿入可能な突起部を２箇所設けて枠部に磁石を配置したフランジを有する凸形状とし、隣接する適宜位置に取っ手部を設け、該取っ手部にチェーンを連結する孔を設けて構成し、中空体の開口部に蓋体の枠部を近づけることにより磁石の磁力による接合する力が働き、取っ手部を上下に動かすことにより中空体の開口部の挿入口と蓋体の突起部が合わさり、中空体と蓋体とが開口部で相対した嵌合にて連結することを特徴とした装飾用連結具。
【請求項２】
請求項１記載の装飾用連結具において、相対した中空体内部に配置した磁石と蓋体の枠部に配置した磁石とを、蓋体のフランジにて隙間を設けることにより、磁石と磁石の衝突による破損を防止したことを特徴とした装飾用連結具。
【発明の詳細な説明】
【技術分野】
【０００１】
本発明は、ネックレス、ブレスレット等の連結具に磁石を配置した装身具に関するものである。
【背景技術】
【０００２】
従来、ネックレス、ブレスレット等を輪状にして使用する多くの連結具は、両端に連結部材である引き輪金具セット、フック金具セット等を用い、該金具セットを連結させた使用であるが、着脱操作が煩雑となる欠点があった。
【０００３】
そのため、前記欠点を解消するために磁石を用いた連結具が知られているが、方法として、磁力の反発力を利用した連結具で、長尺材の一端部に設けた筒状止着部材の内部に磁石を配設すると共に、止着部材の開口端より軸心方向に沿ってややテーパ状の切欠溝を形成し、この切欠溝の奥部近傍位置に前記磁石側に向けた凸状部を形成し、一方、長尺材の他端部に設けた挿入部材の先端側に前記の磁石と反発する磁石を配設し、挿入部材側に設けた突部に挿入方向とは逆方向に向けた凹状部を形成し、止着部材に挿入部材を挿入したときに突部の凹状部が切欠溝の凸状部に磁力の反発力でロックするようにした連結具がある（例えば特許文献１参照。）。
【０００４】
また、Ｎ極、Ｓ極の磁力を利用した連結具で、一方の容器の側面に手持ちとなるリングを設け、Ｎ極を外側にしたネオジム磁石を一方の容器の中空部にその磁石の一部を露出して設け、他方の容器の側面に手持ちとなるリングを設け、Ｓ極を外側にしたネオジム磁石を他方の容器の中空部にその磁石を凹ませて設け、双方の手持ちリングを装身具でつなぐ連結具がある （例えば特許文献２参照。）。
【０００５】
しかし、特許文献１の連結手段は磁力の反発力を利用しているために連結具の両端を両手で持って脱着操作する必要があり、ブレスレットに用いた場合、片手で着脱操作が必要となるために非常に操作がしづらい欠点がある。
【０００６】
また、特許文献２は、Ｎ極を外側にした磁石の一部を露出して設け、Ｓ極を外側にした磁石を凹ませて設けているために磁石同士（Ｎ極、Ｓ極）が磁力にて接触する際の衝撃にて割れ、カケの発生する心配がある。
【０００７】
また、使用者の心理として、磁力のみの結合手段を用いているために突発的な引っ張り力が発生した場合には連結具が「外れ易いのでは」との第一印象が強く、使用者の安心感に対して不安が残る問題がある。
【特許文献１】特開２００１−１７２１６号公報
【特許文献２】特開２０００−４１７１７号公報
【発明の開示】
【発明が解決しようとする課題】
【０００８】
解決しようとする問題点は、美的外観を有し、片手にて確実性の高い連結と外し易さとを両立させると共に、連結時の衝撃による磁石の割れ、カケを防止した装飾用連結具の提供を目的とした。
【課題を解決するための手段】
【０００９】
本発明の装飾用連結具は一端に中空体と他端に蓋体からなる構成にて、前記中空体は、チェーン等を連結する連結環と、前記蓋体を挿入させる２箇所の挿入口を有する開口部を設け、該開口部を中心とした中空内部下位置に枠を設けてＳ極を上面とした磁石を配置して構成、前記蓋体は、板の裏面に、該板の大きさより小さい突出した枠部を設け、該枠部側壁に対して垂直方向に突起した前記挿入口に挿入可能な突起部を２箇所設けて枠部にＮ極を上面とした磁石を配置したフランジを有する凸形状とし、該凸形状に隣接する適宜位置に取っ手部を設け、該取っ手部にチェーンを連結する孔を設けて構成し、中空体の開口部に蓋体の枠部を近づけることにより磁石の磁力による接合する力が働き、取っ手部を上下に動かすことにより中空体の開口部の挿入口と蓋体の突起部が合わさり、中空体と蓋体とが開口部で相対した嵌合にて連結することを特徴とした。
【００１０】
また、相対した中空体内部に配置した磁石と蓋体の枠部に配置した磁石とを、蓋体のフランジにより隙間を設けたことを特徴とした装飾用連結具。
【発明の効果】
【００１１】
上記構成により本発明の装飾用連結具は、中空体に蓋体を挿入させる２箇所の挿入口を有する開口部を設け、前記蓋体は、板の裏面垂直に、該板の大きさより小さい突出した枠部を設け、該枠部側壁に対して垂直方向に突起した前記挿入口に挿入可能な突起部を２箇所設けてフランジを有した凸形状としたことで、該フランジと突起部と開口部とでストッパー機能を有する確実性の高い連結が可能となった。
【００１２】
また、蓋体に隣接した適宜位置に取っ手部を設けることにより、該取っ手部を片手で上下に動かすことによる連結操作及び取り外し操作にて確実性の高い連結と外し易さとを両立させることが可能となった。
【００１３】
更に相対した中空体内部に配した磁石と蓋体の枠部に配した磁石とを蓋体のフランジにて隙間を設けたことにより、連結時の衝撃による磁石の割れ、カケの防止を可能とした装飾用連結具の提供が可能となった。
【発明を実施するための最良の形態】
【００１４】
片手操作も容易とした確実性の高い連結と外し易さとを両立させる目的が美的外観を損なわず実現した。
【実施例１】
【００１５】
図１は、本発明の装飾用連結具を構成する中空体、蓋体を個々に示す斜視図であり、図２は中空体の一実施例を示す正面図であり、図３は図２の右側面図、図４は蓋体の一実施例を示す正面図であり、図５は図４の右側面図である。図６は図２に示す中空体と図４に示す蓋体とを開口部で相対した嵌合にて装飾用連結具としたことを示す正面図である。図７は図６の平面図、図８は図６Ａ−Ａの線断面図であり、図９は図７Ｂ−Ｂの線断面図である。
【００１６】
以下本発明の一実施例を図面に基づいて説明する。図１に示す本発明の装飾用連結具２０の構成は、中空体２と蓋体３とから構成され、中空体２は、チェーン１を連結する連結環６と、前記蓋体３を挿入させる対向した挿入口７と７ａを有する開口部５を設け、該開口部５を中心とした中空内部下位置に枠９を設けてＳ極を上面とした磁石４を配置して構成し、チェーンの一端に接続用環を介して接続した。
蓋体３は、板１４の裏面に、該板１４の大きさより小さい突出した枠部８を設け、該枠部８の側壁に対して垂直方向に突起した挿入口７と７ａに挿入可能な突起部１０と１０ａを対向した位置に設けて、枠部８にＮ極を上面とした磁石４ａを配置したフランジ１２を有する凸形状とし、該フランジ１２に隣接する適宜位置に取っ手部１１を設け、該取っ手部１１にチェーンを連結する孔１３を設けて構成し、チェーン１の他端に接続用環を介して接続した。
【００１７】
前記中空体２の製作に関しては、図２、図３より、開口部５を有した希望形状（実施例はハート形状）の中空体２をロストワックス鋳造方法にて連結環６と一体で製造しても良いが、その他の方法として、中空体はロストワックス鋳造方法乃至プレスパーツを用いて張り合わせて製作し、連結環を線材にて製作して双方をロウ付けにて接合しても良い。
【００１８】
磁石４を配置する枠９は磁石４を挿入できる径のパイプを磁石４の高さと同じ長さに切断して製作、そして、開口部５を中心とした中空内部下位置にロウ付けにて接合し磁石４の配置を可能とした。
【００１９】
前記磁石４を枠９から外れないようにするには接着剤にて接合乃至前記パイプを磁石４の高さより１ｍｍ長く切断して枠９とし、該枠９の断面にて磁石４の縁部を覆い被せるようにして留める方法（覆輪留め）を用いても良い。
【００２０】
前記蓋体３の製作に関しては、図４、図５より、第一の手段として、ロストワックス鋳造方法にて製作、第二の手段として、取っ手部１１をプレスパーツにて製作し、枠部８を有する板１４にロウ付けにて接合した製作方法でも良い。今回の実施として仕上げ工数減を目的として、第二の手段の製作方法を用いた。
【００２１】
前記磁石４ａを枠部８から外れないようにするには接着剤にて接合乃至磁石４ａの高さより１ｍｍ長くして枠部８とし、該枠部８の断面にて磁石４ａの縁部を覆い被せるようにして留める方法（覆輪留め）を用いても良い。
【００２２】
図６〜図９は、中空体２の開口部５に蓋体３の枠部８を近づけることにより、中空体２の磁石４（Ｓ極）と蓋体３の磁石４ａ（Ｎ極）の磁力によって開口部５に枠部８が嵌り込み、取っ手部１１を上下に動かすことにより開口部５に設けた挿入口７、７ａに突起部１０、１０ａが合わさり、中空体２と蓋体３とが開口部５で相対した嵌合にて連結することによりネックレス、ブレスレット等を環状にして着用ができる。
【００２３】
本発明は、上記実施例から判るように装飾用連結具２０のデザインを好む形状とする事が可能であり、確実性の高い連結と外し易さとを両立させる目的が美的外観を損なわず実現した。
【図面の簡単な説明】
【００２４】
【図１】本発明に係わる装飾用連結具の一実施例を示す斜視図である。
【図２】本発明に係わる装飾用連結具の中空体の一実施例を示す正面図である。
【図３】図２の右側面図である。
【図４】本発明に係わる装飾用連結具の蓋体の一実施例を示す正面図である。
【図５】図４の右側面図である。
【図６】図２に示す中空体と図４に示す蓋体とを開口部で相対した嵌合状態を示す正面図である。
【図７】図６の平面図である。
【図８】図６Ａ−Ａの線断面図である。
【図９】図７Ｂ−Ｂの線断面図である。
【符号の説明】
【００２５】
１    チェーン  
２    中空体
３    蓋体
４    磁石
４ａ  磁石
５    開口部
６    連結環
７    挿入口
７ａ  挿入口
８    枠部
９    枠
１０    突起部
１０ａ  突起部
１１    取っ手部
１２    フランジ
１３    孔
１４    板
２０    装飾用連結具
【図１】
2005348796.tif 000003
【図２】
2005348796.tif 000004
【図３】
2005348796.tif 000005
【図４】
2005348796.tif 000006
【図５】
2005348796.tif 000007
【図６】
2005348796.tif 000008
【図７】
2005348796.tif 000009
【図８】
2005348796.tif 000010
【図９】
2005348796.tif 000011